(57)【要約】【課題】運転停止中においても、室内空気の汚れや低酸素濃度状態を自動的に捕らえ、酸素富化空気供給や空気清浄、換気運転を自動的に実行することにより空気環境を良好に保ち、一年中快適環境を創り出す。【解決手段】空気調和機の運転停止中において、汚れセンサまたは酸素濃度センサが常に室内の汚れまたは酸素濃度を検出し、前記汚れセンサまたは前記酸素濃度センサが汚れまたは低酸素濃度を検知すると、酸素供給運転や換気運転、空気清浄運転を自動的に開始し、汚れまたは低酸素状態が回復すると自動的に前記運転を停止する、パトロール運転モードを空気調和機に設ける。【選択図】図３
2006132816.tif 000002
【特許請求の範囲】
【請求項１】
酸素富化空気供給機能付き空気調和機において、室内空気の酸素濃度を常時検出する酸素濃度センサを具備し、空気調和機の運転停止中に前記酸素濃度センサが低酸素濃度を検知すると、自動的に酸素富加運転を開始し、低酸素濃度が回復すると自動的に酸素富加運転を停止する、パトロール運転モードを具備したことを特徴とする空気調和機。
【請求項２】
換気機能付き空気調和機において、室内空気の酸素濃度または汚れを常時検出する酸素濃度センサまたは汚れセンサを具備し、空気調和機の運転停止中に前記酸素濃度センサまたは前記汚れセンサが低酸素濃度または汚れを検知すると、自動的に換気運転を開始し、低酸素濃度または汚れ状態が回復すると自動的に換気運転を停止するパトロール運転モードを具備したことを特徴とする、請求項１に記載の空気調和機。
【請求項３】
空気清浄機能付き空気調和機において、室内空気の汚れを常時検出する汚れセンサを具備し、空気調和機の運転停止中に前記汚れセンサが汚れを検知すると、自動的に空気清浄運転を開始し、低酸素濃度または汚れ状態が回復すると自動的に空気清浄運転を停止するパトロール運転モードを具備したことを特徴とする、請求項１に記載の空気調和機。
【請求項４】
空気清浄機能と換気機能付き空気調和機において、室内空気の酸素濃度または汚れを常時検出する酸素濃度センサまたは汚れセンサを具備し、空気調和機の運転停止中に前記酸素濃度センサまたは前記汚れセンサが低酸素濃度または汚れを検知すると、自動的に空気清浄運転および換気運転を同時に複数開始し、低酸素濃度または汚れ状態が回復すると自動的に空気清浄運転および換気運転を停止するパトロール運転モードを具備したことを特徴とする、請求項１に記載の空気調和機。
【請求項５】
リモートコントロール式の操作器により、前記パトロール運転モードの有無設定の選択が可能であることを特徴とする、請求項１〜４のいずれかに記載の空気調和機。
【請求項６】
パトロール運転モードの実行時に、リモートコントロール式の操作器により酸素富化供給運転と空気清浄運転や換気運転の選択が可能であることを特徴とする、請求項５に記載の空気調和機。
【請求項７】
パトロール運転モード時に、酸素富化空気供給機能、換気機能、空気清浄機能のいずれかが実行中であれば、空気調和機の室内ファンを運転し、前記機能のいずれもが停止であれば室内ファンを停止する制御手段を備えたことを特徴とする、請求項１〜４のいずれかに記載の空気調和機。
【請求項８】
パトロール運転モード時に、酸素富化空気供給機能、換気機能、空気清浄機能のいずれかが実行中であれば、空気調和機の駆動式室内前面パネルを開状態にし、前記機能のいずれもが停止であれば前記前面パネルを閉状態にする制御手段を備えたことを特徴とする、請求項１〜４のいずれかに記載の空気調和機。
【請求項９】
パトロール運転モード時に、酸素富化空気供給機能、換気機能、空気清浄機能のいずれかが実行中であれば、送風回路の吹き出し口に配置された上下羽根を上下に動作させ、前記機能のいずれもが停止であれば前記上下羽根を閉状態にする制御手段を備えたことを特徴とする、請求項１〜４のいずれかに記載の空気調和機。
【請求項１０】
パトロール運転モード時に、酸素富化空気供給機能、換気機能、空気清浄機能のいずれかが実行中であれば、送風回路の吹き出し口に配置された左右羽根を左右に動作させ、前記機能のいずれもが停止であれば前記左右羽根を停止する制御手段を備えたことを特徴とす
る、請求項１〜４のいずれかに記載の空気調和機。
【請求項１１】
室内空気の汚れ検知時間をカウントする内部タイマと、汚れセンサの出力値と前記内部タイマから算出した室内の汚れ具合を視覚的に表示する汚れモニタを具備し、パトロール運転モード中に前記汚れモニタに基づき空気清浄運転を開始および終了する制御を備えたことを特徴とする、請求項３あるいは４のいずれかに記載の空気調和機。
【請求項１２】
室内空気の汚れ検知時間をカウントする内部タイマと、汚れセンサの出力値と前記内部タイマから算出した室内の汚れ具合を視覚的に表示する汚れモニタを具備し、パトロール運転モード中に前記汚れモニタに基づき換気運転を開始および終了する制御を備えたことを特徴とする、請求項２あるいは４のいずれかに記載の空気調和機。
【請求項１３】
低酸素濃度検知時間をカウントする内部タイマと、酸素濃度センサ値と前記内部タイマから算出した室内の酸素濃度を視覚的に表示する汚れモニタを具備し、パトロール運転モード中に前記酸素モニタに基づき換気運転を開始および終了する制御を備えたことを特徴とする、請求項２あるいは４のいずれかに記載の空気調和機。
【請求項１４】
低酸素濃度検知時間をカウントする内部タイマと、酸素濃度センサ値と前記内部タイマから算出した室内の酸素濃度を視覚的に表示する汚れモニタを具備し、前記パトロール運転モード中に酸素モニタに基づき酸素富化空気供給運転を開始および終了する制御を備えたことを特徴とする、請求項１〜４のいずれかに記載の空気調和機。
【発明の詳細な説明】
【技術分野】
【０００１】
本発明は、酸素富化空気供給機能、換気機能、空気清浄機能など空気環境を良化する機能を備えた空気調和機に関するものである。
【背景技術】
【０００２】
空気清浄機能、換気機能または酸素富化空気供給機能を備えた空気調和機が開発され、近年の健康志向ブームもあり、これらの機能を備えた空気調和機が数多く実用化されている。この種の空気調和機は、室内の汚れを検知して、その検出値によりそれぞれの具備機能を運転・停止または運転量を調節し、室内を快適な環境に維持している。
【０００３】
図５は従来の換気機能付き空気調和機の運転方法を示すものでり、室内環境を検知し、その検出結果と空気調和機の運転状況に応じて、室内ファン速および換気ファン速を調節し、室内を最適な環境に維持している（例えば、特許文献１参照）。
【０００４】
その他にも、空気調和機の運転中には空気清浄運転、酸素富化空気供給運転、換気運転を実行し、より効率的に室内環境を最適な環境に維持する空気調和機が実用化されている。
【特許文献１】特開２００４−１０１１１６号公報
【発明の開示】
【発明が解決しようとする課題】
【０００５】
しかしながら前記従来の制御では、空気調和機の運転停止時に換気運転のみを実施していたり、また運転停止中に空気清浄運転や酸素富化空気供給機能運転や換気運転を停止させることより、空気調和機の運転停止時には室内の空気環境が悪化するという課題を有していた。
【０００６】
本発明は、前記従来の課題を解決するもので、空気調和機の運転停止時においても、常時室内の空気環境を検知し、酸素富化空気供給運転を最適に実行し、更には空気清浄運転、換気運転も同時に運転する運転モードを有することにより、より効率的に室内の快適環境を常時創造する空気調和機を提供することを目的とする。
【課題を解決するための手段】
【０００７】
前記従来の課題を解決するために、本発明の空気調和機は、酸素富化空気供給機能付き空気調和機において、室内空気の酸素濃度を常時検出する酸素濃度センサを具備し、空気調和機の運転停止中に前記酸素濃度センサが低酸素濃度を検知すると、自動的に前記具備機能の運転を開始し、低酸素濃度が回復すると自動的に前記具備機能の運転を停止する、パトロール運転モードを設けた、空気調和機である。
【０００８】
また、本発明の空気調和機は換気機能付き空気調和機において、室内空気の酸素濃度または汚れを常時検出する酸素濃度センサまたは汚れセンサを具備し、空気調和機の運転停止中に前記酸素濃度センサまたは前記汚れセンサが低酸素濃度または汚れを検知すると、自動的に換気運転を開始し、低酸素濃度または汚れ状態が回復すると自動的に換気運転を停止するパトロール運転モードを具備したものである。
【０００９】
また、本発明の空気調和機は空気清浄機能付き空気調和機において、室内空気の汚れを常時検出する汚れセンサを具備し、空気調和機の運転停止中に前記汚れセンサが汚れを検知すると、自動的に空気清浄運転を開始し、低酸素濃度または汚れ状態が回復すると自動
的に空気清浄運転を停止するパトロール運転モードを具備したものである。
【００１０】
これによって、運転停止中においても、常に室内の酸素濃度を一定に保ち、また空気を清浄に保つことができ、年間を通して快適空間を創り出すことが可能となる。
【発明の効果】
【００１１】
本発明の空気調和機は、空気調和機の運転停止時にも常に室内の酸素濃度を検知し、室内の酸素濃度が低下すると自動的に酸素富化空気供給運転を実行することにより、室内の酸素濃度を常に一定に保つことが出来る。更に汚れセンサを設け、空気清浄運転や換気運転も同様に実行することにより、室内の空質をよりきれいに、より効率的に、常に快適空間を創り出すことができる。
【発明を実施するための最良の形態】
【００１２】
第１の発明は、酸素富化空気供給機能付き空気調和機において、室内空気の酸素濃度を常時検出する酸素濃度センサを具備し、空気調和機の運転停止中に前記酸素濃度センサが低酸素濃度を検知すると、自動的に前記具備機能の運転を開始し、低酸素濃度が回復すると自動的に前記具備機能の運転を停止する、パトロール運転モードを具備ことにより、空気調和機の運転停止中にも室内の酸素濃度を一定に保つことができる。
【００１３】
第２の発明は、特に、第１の発明の空気調和機に換気機能と室内空気の汚れを常時検出する汚れセンサを具備し、空気調和機の運転停止中に前記酸素センサまたは前記汚れセンサが低酸素濃度または汚れを検知すると、自動的に前記具備機能の運転を開始し、低酸素濃度または汚れ状態が回復すると自動的に前記具備機能の運転を停止するパトロール運転モードを具備することにより、空気調和機の運転停止中にも室内空気の酸素濃度を一定に保つと共に、汚れ除去することができる。
【００１４】
第３の発明は、特に、第１発明の空気調和機に空気清浄機能と室内空気の汚れを常時検出する汚れセンサを具備し、空気調和機の運転停止中に前記汚れセンサが汚れを検知すると、自動的に前記具備機能の運転を開始し、汚れ状態が回復すると自動的に前記具備機能の運転を停止するパトロール運転モードを具備することにより、空気調和機の運転停止中にも室内空気の酸素濃度を一定に保つと共に、汚れ除去することができる。
【００１５】
第４の発明は、特に、第１の発明の空気調和機に空気清浄機能と換気機能と室内空気の汚れを常時検出する汚れセンサを具備し、空気調和機の運転停止中に前記酸素センサまたは前記汚れセンサが低酸素濃度または汚れを検知すると、自動的に前記具備機能の運転を複数開始し、低酸素濃度または汚れ状態が回復すると自動的に前記具備機能の運転を停止するパトロール運転モードを具備することにより、空気調和機の運転停止中にも更に効率的に室内空気の酸素濃度を一定に保つと共に、汚れ除去することができる。
【００１６】
第５の発明は、特に、第１から第４の発明のいずれかにおいて、リモートコントロール式の操作器により、前記パトロール運転モードの有無設定の選択が可能であることにより、
ユーザが前記パトロール運転モードの有無が選択でき、ユーザのニーズに合った空気調和機の運転が可能となる。
【００１７】
第６の発明は、特に、第５の発明のパトロール運転モードの設定を実行時に、リモートコントロール式の操作器により酸素富化供給運転と換気運転や空気清浄運転の選択が可能であることにより、ユーザが前記パトロール運転モードの機能選択ができ、更にユーザのニーズに合った空気調和機の運転が可能となる。
【００１８】
第７の発明は、特に、第１から第４の発明のパトロール運転モード時に、前記具備機能のいずれかが実行中であれば、前記空気調和機の室内ファンを運転し、前記具備機能のいずれもが停止であれば室内ファンを停止する制御手段を備えることにより、具備機能の実行時には室内空気の吸込み量が増加し、空気改善を効率的にすることが可能となる。
【００１９】
第８の発明は、特に、第１から第４の発明のパトロール運転モード時に、前記具備機能のいずれかが実行中であれば、前記空気調和機の駆動式室内前面パネルを開状態にし、前記具備機能のいずれもが停止であれば前記前面パネルを閉状態にする制御手段を備えることにより、具備機能の実行時には室内空気の吸込み量が増加し、空気改善を効率的にすることが可能となる。
【００２０】
第９の発明は、特に、第１から第４の発明のパトロール運転モード時に、前記具備機能のいずれかが実行中であれば、送風回路の吹き出し口に配置された上下羽根を上下に動作させ、前記具備機能のいずれもが停止であれば前記上下羽根を閉状態にする制御手段を備えることにより、具備機能の実行時には空気調和機からの吹出し空気を室内全体に到達させ、空気改善を効率的にすることが可能となる。
【００２１】
第１０の発明は、特に、第１から第４の発明のパトロール運転モード時に、前記具備機能のいずれかが実行中であれば、送風回路の吹き出し口に配置された左右羽根を左右に動作させ、前記具備機能のいずれもが停止であれば前記左右羽根を固定する制御手段を備えることにより、具備機能の実行時には空気調和機からの吹出し空気を室内全体に到達させ、空気改善を効率的にすることが可能となる。
【００２２】
第１１の発明は、特に、第３と第４の発明のいずれかにおいて、汚れ検知時間をカウントする内部タイマと、前記汚れセンサ値と前記内部タイマから算出した室内の汚れ具合を視覚的に表示する汚れモニタを具備し、前記パトロール運転モード時に前記汚れモニタに基づき空気清浄運転を開始および終了する制御を備えることにより、室内の汚れ具合をより的確に捉えるとともに、ユーザへ前記具備機能の運転のタイミングを知らせることで、ユーザの利便性を向上させることが可能となる。
【００２３】
第１２の発明は、特に、第２と第４の発明において、汚れ検知時間をカウントする内部タイマと、前記汚れセンサ値と前記内部タイマから算出した室内の汚れ具合を視覚的に表示する汚れモニタを具備し、前記パトロール運転モード中に前記汚れモニタに基づき換気運転を開始および終了する制御を備えることにより、室内の汚れ具合をより的確に捉えるとともに、ユーザへ前記具備機能の運転のタイミングを知らせることで、ユーザの利便性を向上させることが可能となる。
【００２４】
第１３の発明は、特に、第２と第４の発明において、低酸素濃度検知時間をカウントする内部タイマと、前記酸素濃度センサ値と前記内部タイマから算出した室内の酸素濃度を視覚的に表示する汚れモニタを具備し、前記パトロール運転モード中に前記酸素モニタに基づき換気運転を開始および終了する制御を備えることにより、室内の酸素濃度をより的確に捉えるとともに、ユーザへ前記具備機能の運転のタイミングを知らせることで、ユーザの利便性を向上させることが可能となる。
【００２５】
第１４の発明は、特に、第１から第４の発明のいずれかにおいて、低酸素濃度検知時間をカウントする内部タイマと、前記酸素濃度センサ値と前記内部タイマから算出した室内の酸素濃度を視覚的に表示する汚れモニタを具備し、前記パトロール運転モード中に前記酸素モニタに基づき酸素富化空気供給運転を開始および終了する制御を備えることにより、室内の酸素濃度をより的確に捉えるとともに、ユーザへ前記具備機能の運転のタイミングを知らせることで、ユーザの利便性を向上させることが可能となる。
【００２６】
以下、本発明の実施の形態について、図面を参照しながら説明する。なお、この実施の形態によって本発明が限定されるものではない。
【００２７】
（実施の形態１）
図１は、本発明の実施の形態における室内ユニットの内部を示すものである。
前面部に吸込口１、上面部に吸込口２、下面部に吹出口３を有し、吸込口１には、運転と停止時にそれぞれ開と閉動作を実行する、駆動式前面パネル４が設けられている。そして吹出口３には上下方向に自動スイングし風向きを調節できる上下羽根５と、左右方向自動スイングしに風向きを調節できる左右羽根６が設けられている。
【００２８】
吸込口１、２から吹出口３の送風回路には室内熱交換器７と室内ファン８とが設けられている。更に吸込口１と室内熱交換器７との間には電気式の空気清浄ユニット９と、室外ユニットに設置された酸素富化膜を通過した酸素富化空気を室内に供給する酸素富化空気供給ユニット１０が設けられている。つまり、吸込口１、２から吸込まれた空気は、空気清浄ユニット９と酸素富化空気供給ユニット１０を通過し、吹出口３から室内へと、室内ファン８により吹出される。また、換気ファンユニット１１は室内熱交換器７の脇に備えられており、室内から吸込んだ汚れた空気を換気ダクト１２を通し、室外へ排出するものである。
【００２９】
汚れセンサ１３と酸素センサ１４は吸込口１、２と室内熱交換器７との間に設けており、それぞれ室内の汚れと酸素濃度を検出することができる。また、汚れモニタ１５と酸素濃度モニタ１６は、ユーザから見やすい位置である上下羽根５の横に設けられている。
【００３０】
汚れモニタ１５は、汚れセンサ１３で検知した汚れセンサ値と汚れ検知継続時間などから算出された室内の汚れ具合を表現し、最も汚れている状態時に赤、少し汚れている状態時に黄、汚れていない状態時に緑のLEDを点灯することで、ユーザが視覚的に汚れ具合を認識することができる。同様に酸素濃度モニタ１６も、低酸素時に赤、中酸素時に黄、高酸素時に緑のＬＥＤを点灯することで、ユーザが視覚的に汚れ具合を認識することができる。
【００３１】
次に制御回路の構成を図２に示す。
【００３２】
制御部１７は本空気調和機の全般の制御を行なっており、この制御部１７には汚れセンサ１３、酸素濃度センサ１４、汚れモニタ１５、酸素モニタ１６、空気清浄ユニット９、酸素富化供給ユニット１０、換気ファンユニット１１、前面パネル４、室内ファン８、上下羽根５、左右羽根６、受信部１８が接続されている。受信部１８はリモートコントロール式の操作器１９から送信される赤外光線を受信する。
【００３３】
リモートコントロール式の操作器１９（以下リモコン）には、パトロール運転モードの設定を実行するか否かを選択できるボタンと、パトロール運転モード実行時に、空気清浄運転、酸素富化空気供給運転、換気運転のそれぞれの有無を選択できるボタンを配置している。
【００３４】
以上のように構成された空気調和機について、以下その動作、作用を説明する。
【００３５】
図３（ａ）（ｂ）はパトロール運転モードの酸素富化空気供給運転・空気清浄運転・換気運転・室内ファンの制御方法を示すフローチャートである。リモコン１９により空気調和機の停止信号を受信、あるいは切りタイマのアップなどオフ信号を受信すると（Ｓｔ１）、冷房・暖房・送風運転などの通常運転を停止し、前面パネル４と上下羽根５を閉状態
へ、酸素富化空気供給ユニット１０、換気ファンユニット１１、空気清浄ユニット９も停止する（Ｓｔ２）。その際にリモコン１９によりパトロール運転モードが未設定であれば、停止状態を維持し（Ｓｔ３）、パトロール運転モード設定時には（Ｓｔ３）、汚れセンサ１３と酸素濃度センサ１４により汚れと酸素濃度の検知を実行する。
【００３６】
そしてより的確に室内の汚れ具合を判断するために、汚れセンサ１３により検知したセンサ値とそのセンサ値の時間的変化から、室内の汚れ具合を算出し、ユーザが視覚的に室内の汚れ具合を認識できるように、その汚れレベルにより、汚れている状態であれば汚れモニタ１５を赤、少し汚れている状態であれば黄、きれいな状態であれば緑色に点灯する（Ｓｔ４）。
【００３７】
同様に酸素モニタ１６についても、酸素濃度センサ１４により検知した酸素濃度センサ値とそのセンサ値の時間変化から、室内の酸素濃度を算出し、そのレベルにより、低酸素濃度であれば酸素濃度モニタ１６を赤、中酸素濃度であれば黄、高酸素濃度であれば緑色に点灯する（Ｓｔ５）。
【００３８】
このとき、汚れモニタ１５が緑色である場合（Ｓｔ６）、またはリモコン１９によりパトロール運転モード時に空気清浄運転が無（Ｓｔ７）に設定されていると、空気清浄ユニット９を停止した状態に維持する（Ｓｔ１１）。
【００３９】
しかし、汚れモニタ１５が黄色または赤色であり（Ｓｔ６）、リモコン１９によりパトロール運転モード時に空気清浄運転が有（Ｓｔ７）に設定されていると、空気清浄ユニット９の運転を開始する（Ｓｔ８）。
【００４０】
そして空気清浄ユニット９の運転中も常に汚れセンサ１３により検知し、室内の汚れ具合の変化を、汚れモニタ１５で色の変化により表示し続け（Ｓｔ９）、汚れモニタ１５が緑色を所定時間Ｘ時間以上継続して点灯し続けると（Ｓｔ１０）、室内の空気がきれいな状態へと回復したと判断し、空気清浄ユニット９の運転を停止する。
【００４１】
同様に酸素富化空気供給運転についても、酸素濃度モニタ１６が緑色である場合（Ｓｔ１２）、またはリモコン１９によりパトロール運転モード時に酸素富化空気供給運転が無（Ｓｔ１３）に設定されていると、酸素富化空気供給ユニット１０を停止した状態に維持する（Ｓｔ１１）。
【００４２】
しかし、酸素濃度モニタ１６が黄色または赤色であり（Ｓｔ１２）、リモコン１９によりパトロール運転モード時に酸素富化空気供給運転が有（Ｓｔ１３）に設定されていると、酸素富化空気供給ユニット１０の運転を開始する（Ｓｔ１４）。そして酸素富化空気供給ユニット１０の運転中も常に酸素濃度センサ１４により検知し、室内の酸素濃度の変化を、酸素濃度モニタ１６で色の変化により表示し続け（Ｓｔ１５）、酸素濃度モニタ１６が緑色を所定時間Ｙ時間以上継続して点灯し続けると（Ｓｔ１６）、室内の空気が高酸素濃度状態へと回復したと判断し、酸素富化空気供給ユニット１０の運転を停止する。
【００４３】
そして、換気運転については、汚れモニタ１５と酸素濃度モニタ１６が緑色である場合（Ｓｔ１８）、またはリモコン１９によりパトロール運転モード時に換気運転が無（Ｓｔ１９）に設定されていると、換気ファンユニット１１を停止した状態に維持する（Ｓｔ２５）。
【００４４】
しかし、汚れモニタ１５または酸素濃度モニタ１６が黄色または赤色であり（Ｓｔ１８）、リモコン１９によりパトロール運転モード時に換気運転が有（Ｓｔ１９）に設定されていると、換気ファンユニット１１の運転を開始する（Ｓｔ２０）。
【００４５】
そして換気ファンユニット１１の運転中も常に汚れセンサ１３および酸素濃度センサ１４により検知し、室内の汚れ具合と酸素濃度の変化を、汚れモニタ１５と酸素濃度モニタ１６で色の変化により表示し続ける（Ｓｔ２１、Ｓｔ２２）。
【００４６】
また汚れモニタ１５と酸素濃度モニタ１６と各点灯時間と色により、換気ファンの回転数をＨｉかＬｏかを決定し、室内の空気の負荷に合わせて回転数を選択することにより高効率に換気運転を実施する。そして汚れモニタ１５が緑色を所定時間Ｘ時間以上継続して点灯、かつ酸素濃度モニタ１６が緑色を所定時間Ｙ時間以上継続して点灯し続けると（Ｓｔ２４）、室内の空気がきれいな状態かつ高酸素濃度状態へと回復したと判断し、換気ファンユニット１１の運転を停止する。
【００４７】
またパトロール運転モード時の室内ファン８は、汚れモニタ１５と酸素濃度モニタ１６が緑色である場合（Ｓｔ１８）、または空気清浄ユニット９と酸素富化空気供給ユニット１０と換気ファンユニット１１のいずれもが運転停止状態であれば（Ｓｔ２６）、室内ファン８を停止した状態に維持する（Ｓｔ３２）。
【００４８】
しかし、汚れモニタ１５または酸素濃度モニタ１６が黄色または赤色であり（Ｓｔ１８）、空気清浄ユニット９と酸素富化空気供給ユニット１０と換気ファンユニット１１のいずれかが運転状態であれば（Ｓｔ２６）、室内ファン８の運転を開始する（Ｓｔ２７）。
【００４９】
そして室内ファン８の運転中も常に汚れセンサ１３および酸素濃度センサ１４により検知し、室内の汚れ具合と酸素濃度の変化を、汚れモニタ１５と酸素濃度モニタ１６で色の変化により表示し続ける（Ｓｔ２８、Ｓｔ２９）。
【００５０】
また汚れモニタ１５と酸素濃度モニタ１６と各点灯時間と色により、室内ファン８の回転数をＨｉかＭｅかＬｏかを決定し、室内の空気の負荷に合わせて回転数を選択することにより、室内空気の吸込み量を増減させ、高効率に空気改善を実施することが可能となる。
【００５１】
そして空気清浄ユニット９と酸素富化空気供給ユニット１０と換気ファンユニット１１のいずれもの運転が停止状態になると（Ｓｔ３１）、室内の空気がきれいな状態かつ高酸素濃度状態へと回復したと判断し、室内ファン８の運転を停止する。
【００５２】
次にユーザがリモコン１９においてパトロール運転モード有りで、空気清浄ユニット９と酸素富化空気供給ユニット１０と換気ファンユニット１１の全てを選択した場合の、各部の動作とタイミングを表したものを図４に示す。
【００５３】
前面パネル４は空気清浄ユニット９と酸素富化空気供給ユニット１０と換気ファンユニット１１のいずれかが運転状態であれば、前面パネル４を開き、いずれもが停止状態であれば閉じる。こうすることで、室内空気の吸込みを効率的に行えるとともに、ユーザが視覚的に空気環境改ユニットが運転していることを認識することができる。
【００５４】
また、上下羽根５と左右羽根６は、空気清浄ユニット９と酸素富化空気供給ユニット１０と換気ファンユニット１１のいずれかが運転状態であればスイングし、いずれもが停止状態であれば閉じるまたは固定することで、良化された吹出し空気を室内全体に行き渡させることが可能である。
【００５５】
以上のように、本実施の形態においては、パトロール運転モード設定時に、室内の汚れ具合を表示するモニタに連動し、空気清浄ユニット９と酸素富化空気供給ユニット１０と
換気ファンユニット１１とその他各部を上述のようなタイミングでそれぞれ動作さすことにより、ユーザが室内の汚れ具合と各部の動作の関係を認識できると同時に、空気調和機の停止中においても、効率的に室内の空気改善を実行でき、一年中室内の快適環境を創造することが可能となる。
【産業上の利用可能性】
【００５６】
以上のように、本発明にかかる空気調和機では、運転停止時においても室内を快適に保持でき、一年中快適環境を創り出すことが可能となるので、種々の空気環境を良化する機能を有した空気調和機の用途に適用できる。
【図面の簡単な説明】
【００５７】
【図１】本発明の実施の形態における室内ユニットの構成図
【図２】本発明の実施の形態における制御回路のブロック図
【図３】（ａ）は本発明の実施の形態におけるパトロール運転時の酸素富化空気供給運転と空気清浄運転の方法を示すフローチャート  （ｂ）は本発明の実施の形態におけるパトロール運転時の換気運転と室内ファンの運転方法を示すフローチャート
【図４】本発明の実施の形態における各部の動作タイミングを示すタイムチャート
【図５】従来の換気機能付き空気調和機の制御方法のフローチャート
【符号の説明】
【００５８】
１  吸込口
２  吸込口
３  吹出口
４  駆動式前面パネル
５  上下羽根
６  左右羽根
７  室内熱交換器
８  室内ファン
９  空気清浄ユニット
１０  酸素富化空気供給ユニット
１１  換気ファンユニット
１２  換気ダクト
１３  汚れセンサ
１４  酸素センサ
１５  汚れモニタ
１６  酸素濃度モニタ
１７  制御部
１８  受信部
１９  リモコン（操作器）
【図１】
2006132816.tif 000003
【図２】
2006132816.tif 000004
【図４】
2006132816.tif 000005
【図５】
2006132816.tif 000006
【図３】
2006132816.tif 000007